(57)【要約】      （修正有）【課題】床暖房装置において、抵抗発熱体と筐体内との間に防水構造を設け、前記抵抗発熱体を二重絶縁構造とする床暖房装置及びそれを使用する加温施設を提供する。【解決手段】内部に粒子を敷き詰めて、その上部に多孔質の板を載せ床面を形成する筐体１１と、筐体１１の内部下方に設ける加熱手段と、加熱手段の上方に設ける水噴出手段とを備え、水噴出手段により粒子からなる層に水分を供給し、加熱手段にて水蒸気を発生させ、加熱手段及び水蒸気により粒子からなる層を昇温させると共に床面から水蒸気を放出させる床暖房装置１０であって、加熱手段は、筐体１１内部に連通させ、少なくとも一端を外部に開放させる開口部１５を有すると共に筐体１１との接続箇所を防水構造とする管体２０と、管体２０内に電気絶縁状態で開口部１５から取り出し自在に収納される抵抗発熱体とを備えるように構成する。【選択図】図１
0003197456.tif 000002
【実用新案登録請求の範囲】
【請求項１】
内部に粒子を敷き詰めて、その上部に多孔質の板を載せ床面を形成する筐体と、
前記筐体の内部下方に設ける加熱手段と、
前記加熱手段の上方に設ける水噴出手段とを備え、
前記水噴出手段により前記粒子からなる層に水分を供給し、前記加熱手段にて水蒸気を発生させ、前記加熱手段及び前記水蒸気により前記粒子からなる層を昇温させると共に前記床材から前記水蒸気を放出させる床暖房装置であって、
前記加熱手段は、前記筐体内部に連通させ、少なくとも一端を外部に開放させる開口部を有すると共に前記筐体との接続箇所を防水構造とする管体と、
前記管体内に電気絶縁状態で前記開口部から取り出し自在に収納される抵抗発熱体とを備えることを特徴とする
【請求項２】
前記管体は、前記筐体の少なくとも一側面に開口された開口部から対向側面に向けて嵌入される金属製管体であり、前記金属製管体と前記筐体とは溶接又はシーリング材により防水処理されてなることを特徴とする請求項１に記載の床暖房装置。
【請求項３】
前記抵抗発熱体は、電気絶縁性を有するスペーサにより、前記管体と所定の空間を保持することにより電気絶縁状態で収納されてなる
ことを特徴とする請求項１又は２に記載の床暖房装置。
【請求項４】
前記抵抗発熱体は、前記管体より小経であって、前記管体に収納可能な小経管体内に収納され、二重管構造にて収納されると共に、前記小経管体は電気絶縁性を有するスペーサにより、前記管体と所定の空間を保持することにより電気絶縁状態で収納されてなる
ことを特徴とする請求項１又は２に記載の床暖房装置。
【請求項５】
前記抵抗発熱体は、前記管体の開口部から外方に取り出す場合において、前記開口部と相対する壁面又は他の前記筐体の側面等との相対距離が狭くとも、前記開口部から取り出すことができるように、前記管体の長さ方向において、前記相対距離よりも短く形成される面状発熱体を可撓性を有する導電連結体で複数個接続して形成されてなる
ことを特徴とする請求項１乃至４の何れか一に記載の床暖房装置。
【請求項６】
前記抵抗発熱体は、前記管体の開口部から外方に取り出す場合において、前記開口部と相対する壁面又は他の前記筐体の側面等との相対距離が狭くとも、前記開口部から取り出すことができるように、抵抗発熱部材を柔軟性を有し電気絶縁性を有する部材で挟み込んで形成される面状発熱体にて形成されてなる
ことを特徴とする請求項１乃至４の何れか一に記載の床暖房装置。
【請求項７】
請求項１乃至請求項６の何れか一に記載の床暖房装置を、床に複数個列べて形成してなる床暖房装置を使用する加温施設。
【考案の詳細な説明】
【技術分野】
【０００１】
本考案は、例えば、ホットヨガ又は岩盤浴等の加温施設に好適な床暖房装置及びそれを使用する加温施設に関するものである。
【背景技術】
【０００２】
従来、岩盤浴やホットヨガ等のトレーニングスタジオ等に使用する床暖房装置としては、例えば、実用新案登録第３１２１４９４号（特許文献１）に記載のものが公知である。前記公報に記載の床暖房装置は、短時間で昇温できる床暖房装置及び岩盤浴装置を提供するものであって、粒径の異なる２種類以上の無機粒子を敷き詰めて無機板材を載せた筐体を有し室内で用いる床暖房装置であって、筐体の底部にヒーターを有し、筐体の下方に粒径の小さい無機粒子を含む第１の層を有し、筐体の上方に粒径の大きい無機粒子を含む第２の層を有し、前記ヒーターより上方に水噴出手段を有し、前記水噴出手段が、前記第１の層に水分を供給して水蒸気を発生させ、前記第２の層及び前記無機板材を前記水蒸気で昇温させるように構成している。
【先行技術文献】
【特許文献】
【０００３】
【特許文献１】実用新案登録第３３１２１４９４号公報  第1頁  図１
【考案の概要】
【考案が解決しようとする課題】
【０００４】
しかしながら、前記公知の床暖房装置においては、ヒートパイプは全体を蛇腹状に湾曲して筐体内に敷設しているので、加熱手段として一般的には内部に熱湯を通して昇温させている。しかしながら、加熱手段として、内部に熱湯を通して昇温させる場合は、一定の所望温度までの昇温時間がかかるものとなり、また別途ボイラー等の施設も必要となり、さらに、湯温の微妙な温度管理が困難である。
【０００５】
一方、加熱手段として、シーズヒーターやフィルムヒーター等の抵抗発熱体を使用する場合は、昇温時間は短縮されると共に温度管理も容易となるが、前記筐体の底部に敷設したヒーターの上部から水を噴出させるため、前記筐体内と抵抗発熱体間に所定の防水性能が要求されると共に、抵抗発熱体等自身の基礎絶縁だけではなく、基礎絶縁が破損した場合の付加的な電気絶縁対策が必要となる。また、前記公知の床暖房装置のように、ヒーターパイプの全体を蛇腹状に湾曲させて筐体内に収納する場合において、加熱手段に抵抗発熱体を使用する場合は、前記抵抗発熱体の交換等のメンテナンスを行い難い。
【０００６】
本考案は、かかる点に鑑みてなされたものであり、その目的とするところは、内部に溶岩石や鉱石等の粒状体を敷き詰めて上部に板材を載せた筐体を備える床暖房装置であって、前記筐体の底部に抵抗発熱体を設けて、前記抵抗発熱体より上方に水噴出手段を設けて、前記水噴出手段により噴出する水分を水蒸気として発生させる床暖房装置において、前記抵抗発熱体と前記筐体内との間に防水構造を設け、前記抵抗発熱体を二重の電気絶縁構造とする床暖房装置及びそれを使用する加温施設を提供することを目的とする。
【０００７】
本考案の他の目的は、前記加熱手段として用いる前記抵抗発熱体の交換等のメンテナンスが容易な床暖房装置及びそれを使用する加温施設を提供することを目的とする。
【課題を解決するための手段】
【０００８】
請求項１に記載の床暖房装置は、内部に粒子を敷き詰めて、その上部に多孔質の板を載せ床面を形成する筐体と、前記筐体の内部下方に設ける加熱手段と、前記加熱手段の上方に設ける水噴出手段とを備え、前記水噴出手段により前記粒子からなる層に水分を供給し、前記加熱手段にて水蒸気を発生させ、前記加熱手段及び前記水蒸気により前記粒子からなる層を昇温させると共に前記床材から前記水蒸気を放出させる床暖房装置であって、前記加熱手段は、前記筐体内部に連通させ、少なくとも一端を外部に開放させる開口部を有すると共に前記筐体との接続箇所を防水構造とする管体と、前記管体内に電気絶縁状態で前記開口部から取り出し自在に収納される抵抗発熱体とを備えることを特徴とする。
【０００９】
請求項１に記載の床暖房装置にあっては、前記筐体内部に設ける前記加熱手段は、前記筐体内部に連通させて、少なくとも一端を外部に開放させる開口部を有し、前記筐体との接続箇所を防水構造とする管体内に、電気絶縁状態で収納されると共に、前記開口部から抵抗発熱体が取り出し自在に収納されているので、前記筐体内部において、水分濃度が高くなっても、前記加熱手段を、前記筐体内から防水すると共に、前記抵抗発熱体自体の基礎絶縁に加えて二重の電気絶縁構造としているので、安全性の高いものとなすと共に、前記抵抗発熱体は前記開口部から取り出すことができるので、前記抵抗発熱体の修理、交換等のメンテナンスを容易に行うことができる。
【００１０】
請求項２に記載の床暖房装置は、請求項１に記載の床暖房装置において、前記管体は、前記筐体の少なくとも一側面に開口された開口部から対向側面に向けてに嵌入される金属製管体であり、前記金属製管体と前記筐体とは溶接又はシーリング材により防水処理されてなることを特徴とする。
【００１１】
請求項２に記載の床暖房装置にあっては、請求項１に記載の床暖房装置に加えて、前記管体は、前記筐体の一側面を開口して、前記開口部から対向側面に向けて前記金属製管体を嵌入して、前記筐体の開口部との接続箇所を溶接又はシーリング材等により防水処理を行い前記筐体を製造することができるので、前記筐体における防水及び電気絶縁構造を容易に構築することができる。
【００１２】
請求項３に記載の床暖房装置は、請求項１又は２に記載の床暖房装置において、前記抵抗発熱体は、電気絶縁性を有するスペーサにより、前記管体と所定の空間を保持することにより電気絶縁状態で収納されてなることを特徴とする。
【００１３】
請求項３に記載の床暖房装置にあっては、前記電気絶縁性を容易に構築することができる。
【００１４】
請求項４に記載の床暖房装置は、請求項１又は２に記載の床暖房装置において、前記抵抗発熱体は、前記管体より小経であって、前記管体に収納可能な小経管体内に収納され、二重管構造にて収納されると共に、前記小経管体は電気絶縁性を有するスペーサにより、前記管体と所定の空間を保持することにより電気絶縁状態で収納されてなることを特徴とする。
【００１５】
請求項４に記載の床暖房装置にあっては、前記電気絶縁性を容易に構築することができる。
【００１６】
請求項５に記載の床暖房装置は、請求項１乃至４の何れか一に記載の床暖房装置において、前記抵抗発熱体は、前記管体の開口部から外方に取り出す場合において、前記開口部と相対する壁面又は他の前記筐体の側面等との相対距離が狭くとも、前記開口部から取り出すことができるように、前記管体の長さ方向において、前記相対距離よりも短く形成される面状発熱体を可撓性を有する導電連結体で複数個接続して形成されてなることを特徴とする。
【００１７】
請求項５に記載の床暖房装置にあっては、前記開口部から前記抵抗発熱体を取り出す場合において、前記導電連結体が湾曲することにより、前記開口部と相対する壁面又は他の前記筐体の側面等との相対距離が狭くとも、前記開口部から取り出すことができるので、前記抵抗発熱体の修理、交換等のメンテナンスをさらに容易に行うことができる。
【００１８】
請求項６に記載の床暖房装置は、請求項１乃至４の何れか一に記載の床暖房装置において、前記抵抗発熱体は、前記管体の開口部から外方に取り出す場合において、前記開口部と相対する壁面又は他の前記筐体の側面等との相対距離が狭くとも、前記開口部から取り出すことができるように、抵抗発熱部材を柔軟性を有し電気絶縁性を有する部材で挟み込んで形成される面状発熱体にて形成されてなることを特徴とする。
【００１９】
請求項６に記載の床暖房装置にあっては、前記開口部から前記抵抗発熱体を取り出す場合において、前記面状発熱体が柔軟性を有し、それ自体で湾曲できるので、前記開口部と相対する壁面又は他の前記筐体の側面等との相対距離が狭くとも、前記開口部から取り出すことができ、前記抵抗発熱体の修理、交換等のメンテナンスをさらに容易に行うことができる。
【００２０】
請求項７に記載の床暖房装置を使用する加温施設は、請求項１乃至請求項６の何れか一に記載の床暖房装置を、床に複数個列べて形成してなることを特徴とする。
【００２１】
請求項７に記載の加温施設にあっては、前記加温施設を構成する前記床暖房装置は、前記筐体内部に設ける前記加熱手段は、前記筐体内部に連通させて、少なくとも一端を外部に開放させる開口部を有し、前記筐体との接続箇所を防水構造とする管体内に、電気絶縁状態で収納されると共に、前記開口部から抵抗発熱体が取り出し自在に収納されているので、前記筐体内部において、水分濃度が高くなっても、前記加熱手段を二重の電気絶縁構造としているので、安全性の高いものとなると共に、前記抵抗発熱体は前記開口部から取り出すことができるので、前記抵抗発熱体の修理、交換等のメンテナンスを容易に行うことができる。
【考案の効果】
【００２２】
請求項１に記載の床暖房装置によれば、内部に粒子を敷き詰めて、その上部に多孔質の板を載せ床面を形成する筐体と、前記筐体の内部下方に設ける加熱手段と、前記加熱手段の上方に設ける水噴出手段とを備え、前記水噴出手段により前記粒子からなる層に水分を供給し、前記加熱手段にて水蒸気を発生させ、前記加熱手段及び前記水蒸気により前記粒子からなる層を昇温させると共に前記床材から前記水蒸気を放出させる床暖房装置であって、前記加熱手段は、前記筐体内部に連通させ、少なくとも一端を外部に開放させる開口部を有すると共に前記筐体との接続箇所を防水構造とする管体と、前記管体内に電気絶縁状態で前記開口部から取り出し自在に収納される抵抗発熱体とを備えているので、前記筐体内部において、水分濃度が高くなっても、前記加熱手段を、前記筐体内から防水すると共に、前記抵抗発熱体自体の基礎絶縁に加えて二重の電気絶縁構造としているので、安全性の高いものとなすと共に、前記抵抗発熱体は前記開口部から取り出すことができるので、前記抵抗発熱体の修理、交換等のメンテナンスを容易に行うことができる。
【００２３】
請求項２に記載の床暖房装置によれば、請求項１に記載の床暖房装置において、前記管体は、前記筐体の少なくとも一側面に開口された開口部から対向側面に向けて嵌入される金属製管体であり、前記金属製管体と前記筐体とは溶接又はシーリング材により防水処理されているので、請求項１に記載の床暖房装置に加えて、前記管体は、前記筐体の一側面を開口して、前記開口部から対向側面に向けて前記金属製管体を嵌入して、前記筐体の開口部との接続箇所を溶接又はシーリング材等により防水処理を行い前記筐体を製造することができ、前記筐体における防水及び電気絶縁構造を容易に構築することができる。
【００２４】
請求項３に記載の床暖房装置によれば、請求項１又は２に記載の床暖房装置において、前記抵抗発熱体は、電気絶縁性を有するスペーサにより、前記管体と所定の空間を保持することにより電気絶縁状態で収納されているので、前記電気絶縁性を容易に構築することができる。
【００２５】
請求項４に記載の床暖房装置によれば、請求項１又は２に記載の床暖房装置において、前記抵抗発熱体は、前記管体より小経であって、前記管体に収納可能な小経管体内に収納され、二重管構造にて収納されると共に、前記小経管体は電気絶縁性を有するスペーサにより、前記管体と所定の空間を保持することにより電気絶縁状態で収納されているので、前記電気絶縁性を容易に構築することができる。
【００２６】
請求項５に記載の床暖房装置によれば、請求項１乃至４の何れか一に記載の床暖房装置において、前記抵抗発熱体は、前記管体の開口部から外方に取り出す場合において、前記開口部と相対する壁面又は他の前記筐体の側面等との相対距離が狭くとも、前記開口部から取り出すことができるように、前記管体の長さ方向において、前記相対距離よりも短く形成される面状発熱体を可撓性を有する導電連結体で複数個接続して形成しているので、前記開口部から前記抵抗発熱体を取り出す場合において、前記導電連結体が湾曲することにより、前記開口部と相対する壁面又は他の前記筐体の側面等との相対距離が狭くとも、前記開口部から取り出すことができ、前記抵抗発熱体の修理、交換等のメンテナンスをさらに容易に行うことができる。
【００２７】
請求項６に記載の床暖房装置によれば、請求項１乃至４の何れか一に記載の床暖房装置において、前記抵抗発熱体は、前記管体の開口部から外方に取り出す場合において、前記開口部と相対する壁面又は他の前記筐体の側面等との相対距離が狭くとも、前記開口部から取り出すことができるように、抵抗発熱部材を柔軟性を有し電気絶縁性を有する部材で挟み込んで形成される面状発熱体にて形成しているので、前記開口部から前記抵抗発熱体を取り出す場合において、前記面状発熱体が柔軟性を有し、それ自体で湾曲できるので、前記開口部と相対する壁面又は他の前記筐体の側面等との相対距離が狭くとも、前記開口部から取り出すことができ、前記抵抗発熱体の修理、交換等のメンテナンスをさらに容易に行うことができる。
【００２８】
請求項７に記載の床暖房装置を使用する加温施設によれば、請求項１乃至請求項６の何れか一に記載の床暖房装置を、床に複数個列べて形成しているので、前記加温施設を構成する夫々の前記床暖房装置は、前記筐体内部に設ける前記加熱手段は、前記筐体内部に連通させて、少なくとも一端を外部に開放させる開口部を有し、前記筐体との接続箇所を防水構造とする管体内に、電気絶縁状態で収納されると共に、前記開口部から抵抗発熱体が取り出し自在に収納されているので、前記筐体内部において、水分濃度が高くなっても、前記加熱手段を二重の電気絶縁構造としているので、安全性の高いものとなると共に、前記抵抗発熱体は前記開口部から取り出すことができるので、前記抵抗発熱体の修理、交換等のメンテナンスを容易に行うことができる。
【図面の簡単な説明】
【００２９】
【図１】本考案に係る床暖房装置の筐体を示す斜視図である。
【図２】（ａ）は同平面図、（ｂ）は同側面図である。
【図３】筐体内に貫通されたパイプ構造を示す図であり、（ａ）は横断面図、（ｂ）は縦断面図、（ｃ）は一部切欠斜視図である。
【図４】他のパイプ構造を示す図であり、（ａ）は横断面図、（ｂ）は縦断面図、（ｃ）は一部切欠斜視図である。
【図５】図４に示すパイプ構造に収納される抵抗発熱体の図であり、（ａ）は部分拡大斜視図であり（ｂ）は同部分拡大断面図である。
【図６】（ａ）は本考案に係る床暖房装置の要部一部切欠平面図であり（ｂ）は同要部一部切欠斜視図である。
【図７】（ａ）は床暖房装置の筐体を並列に敷設した状態の加温施設の部分平面図であり、（ｂ）は同斜視図である。
【図８】（ａ）は加温施設の部分平面図であり、（ｂ）は同斜視図である。
【考案を実施するための最良の形態】
【００３０】
以下、本考案に係る床暖房装置を実施するための最良の実施形態について、図面に従って説明する。図１は本考案に係る床暖房装置１０を構成する筐体１１を示す斜視図であり、図２（ａ）は同平面図、（ｂ）は同側面図である。
【００３１】
図１中、１０は本考案に係る床暖房装置１０であり、１１は前記床暖房装置１０を構成する筐体である。前記筐体１１は、ステンレス板により、上面開放の長方形の箱状に形成されている。
【００３２】
前記筐体１１は、使用される加温施設の使用目的や広さ等に応じて、適宜大きさに設計すると良いが、例えば、図１に示す前記筐体１１は、縦２８００ｍｍ×横８００ｍｍ×深さ１１０ｍｍ程度の大きさに形成される。前記筐体１１の内部には、長手方向（縦方向）に向けて３本の角状の中空パイプで形成するヒーターケース２０を挿通している。
【００３３】
前記ヒーターケース２０は、断面９０ｍｍ×３０ｍｍ程度のステンレス製の角パイプから形成されており、前記筐体１１の横側面１２及び横側面と向き合う対向側面１３に前記ヒーターケース２０の断面形状に符合するように開口させた開口部１５に、前記ヒーターケース２０を挿通させて、前記開口部１５と前記ヒーターケース２０の接続箇所を前記筐体１１内部から溶接して防水構造となるように固定している。
【００３４】
前記ヒーターケース２０の前記筐体１１の横側面１２，１３における取付位置は、前記筐体１１の底板１４から若干上方位置で、かつ、横方向において略等間隔位置で、３本を挿通するように取り付けている。前記ヒーターケース２０の両端の開口箇所には蓋１６が着脱自在となるように取り付けられている。なお、前記ヒーターケース２０は、より下方位置に、例えば前記底板１４に載置するように、取り付けても良い。
【００３５】
また、前記ヒーターケース２０のそれぞれの上方には、複数の水放出孔を下面長手方向に開孔する水放出パイプ１７を挿通させている。
【００３６】
そして、前記ヒーターケース２０の中には、前記ヒーターケース２０より小経の、例えば、断面６ｍｍ×６５ｍｍ程度のステンレス製の角パイプから形成される内側ケース２１を収納し２重ケース構造としている。
【００３７】
図３は、前記筐体１１内に貫通されたヒーターケース構造を示す図であり、（ａ）は横断面図、（ｂ）は縦断面図、（ｃ）は一部切欠斜視図である。
【００３８】
図３に示すように、前記内側ケース２１は、前記ヒーターケース２０内に予め収納されたステンレス製のコ字状のチャンネル材で形成される支持台２２上に載置するように収納されるが、このとき、前記内側ケース２１が前記ヒーターケース２０及び前記支持台２２との間に空間を確保して電気絶縁状態となるように、前記内側ケース２１の外側には前記内側ケース２１の外径に符合させた角型リング状のスペーサ３１を適宜間隔にて、複数個介装しておく。前記スペーサ３１は良好な電気絶縁性及び耐熱性を有する素材であれば良いが、例えば、ポリテトラフルオロエチレン等の合成樹脂で成型すれば、容易かつ安価に製造することができる。
【００３９】
そして、前記内側ケース２１の内部には、抵抗発熱体であるシリコンラバーヒーター３０を収納する。前記シリコンラバーヒーター３０は、例えば、２枚のシリコンシート間に抵抗薄膜をパターン化して形成するものであって、柔軟性に富み、可撓性に優れる面状発熱体である。
【００４０】
さらに、内側ケース２１に隣接するように、前記シリコンラバーヒーター３０の温度を調整するために、サーモスタット３２を前記支持台２２に載置している。
【００４１】
図４は、他のヒーターケース構造を示す図であり、（ａ）は横断面図、（ｂ）は縦断面図、（ｃ）は一部切欠斜視図であり、図５は、図４に示すヒーターケース２０に収納される抵抗発熱体４０の図であり、（ａ）は部分拡大斜視図であり（ｂ）は同部分拡大断面図である。
【００４２】
前記ヒーターケース２０内の電気絶縁手段は、図４及び図５に示すようなものであっても良い。ずなわち、図４及び図５に示すように、本実施形態で使用する抵抗発熱体は、箔状の抵抗線４０ａを２枚のマイカ（雲母）４０ｂで挟み込んで形成する面状のマイカヒーター４０を、長さ１００ｍｍ〜２００ｍｍ程度の長さに形成し、その長さ１００ｍｍ〜２００ｍｍ程度のマイカヒーター４０を複数枚、柔軟性がある銅薄板等の導電接続片４４で、それぞれ連結して、全長を前記ヒーターケース２０内の略全長に亘るものとし、前記マイカヒーター４０を、前記マイカヒーター４０の幅よりも長尺の長方形状の板状のスペーサ４１で挟み込み、前記スペーサ４１の両端部に開口されたネジ孔にネジＮを挿通しナットＢで固定し、前記ネジＮで固定した状態で、前記ヒーターケース２０内に予め収納される支持台２２上に載置するのである。
【００４３】
図６は、本考案に係る床暖房装置を示す図であり、（ａ）は床暖房装置の部分切欠斜視図であり（ｂ）は同斜視図である。
【００４４】
以上のように形成された前記筐体１１の内部には、図６に示すように、粒径の異なる溶岩石（５０，５１，５２）を３層に分けて投入される。前記溶岩石（５０，５１，５２）は、下層には粒径２〜５ｍｍ程度の溶岩石５０を、中層には粒径１０〜２０ｍｍ程度の溶岩石５１を、上層には粒径３０〜５０ｍｍ程度の溶岩石５２を、それぞれ投入し、上層を形成する溶岩石５２の上面を平滑に均して、その上に４００ｍｍ角、厚さ１０ｍｍ程度の溶岩板５３を敷き詰めて床面を形成するのである。前記筐体１１に投入される粒子は、溶岩石に限らず、鉱石類や砂利等の無機質的な粒子であってもよい。
【００４５】
以上の構成からなる前記床暖房装置１０において、前記ヒーターケース２０は前記筐体１１との接続箇所を溶接により固定しているので、前記筐体１１内に水を放出し、加熱して前記筐体１２内が水蒸気雰囲気となっても、前記ヒーターケース２０内は防水され、前記ヒーターケース２０内に収納される前記抵抗発熱体３０，４０からの漏電を防止することができると共に、 前記抵抗発熱体３０，４０は、前記前記ヒーターケース２０と所定の空間を保持することにより電気絶縁状態で収納されるので、前記抵抗発熱体３０，４０自体が有する基礎絶縁に加えて、所定の空間を保持することによる付加絶縁の二重絶縁とすることができる。
【００４６】
さらに、前記抵抗発熱体３０，４０は、長さの短い前記抵抗発熱体４０を可撓性を有する導電連結体４４で複数個接続して形成している場合や、前記抵抗発熱部材を柔軟性を有し電気絶縁性を有する、例えば、シリコンラバー等の部材で挟み込んで抵抗発熱体３０を形成する場合は、前記開口部１５から前記抵抗発熱体３０，４０を取り出す場合において、前記導電連結体４４又は前記抵抗発熱体３０自体が湾曲することにより、前記開口部と相対する壁面又は他の前記筐体の側面等との相対距離が狭くとも、前記開口部１５から前記抵抗発熱体３０，４０を取り出すことができ、前記抵抗発熱体の修理、交換等のメンテナンスをさらに容易に行うことができる。
【００４７】
図７（ａ）は、床暖房装置の筐体を並列に敷設した加温施設の部分平面図であり、（ｂ）は同斜視図であり、図８（ａ）は、床暖房装置を並列に敷設した加温施設の部分平面図であり、（ｂ）は同斜視図である。
【００４８】
以上のように構成された前記床暖房装置１０を、図８に示すように、施設の床面に並列的に敷設して、ホットヨガ等のトレーニングスタジオや岩盤浴等の加温が必要な加温施設に使用するのである。
【００４９】
前記加温施設６０に、前記床暖房装置１０を敷設する場合は、図７に示すように、先ず、前記筐体１１を前記加温施設の床面の所定箇所に列べておき、前記溶岩石（５０，５１，５２）を逐次投入し、図８に示すように、前記溶岩板５３を敷き詰めて床面を形成すると良い。
【００５０】
以上のように、前記床暖房装置１０を使用する加温施設においては、前記床暖房装置１０内に収納される前記抵抗発熱体を二重絶縁構造とすることができるので、安全性を高めることができると共に、前記抵抗発熱体を前記床暖房装置から容易に取り出し、また、収納することができるので、記抵抗発熱体の修理、交換等のメンテナンスを容易に行うことができる。
【００５１】
なお、本実施形態においては、前記抵抗発熱体３０，４０及び前記サーモスタット３２に接続される導電線及び前記筐体１１に固定される端子台等の記載及び図面上の投描は省略してある。
【符号の説明】
【００５２】
１０      床暖房装置
１１      筐体
１２      横側面板
１３      対向側面板
１４      底板
１５      開口部
１６      蓋
１７      水放出パイプ
２０      ヒーターケース
２１      内側ケース
２２      支持台
３０      ラバーヒーター
３１      角型リング状スペーサ
３２      サーモスタット
４０      マイカヒーター
４１      板状スペーサ
４２      ボルト
４３      ナット      
４４      導電連結材
５０      溶岩石（小粒状）
５１      溶岩石（中粒状）
５２      溶岩石（大粒状）
５３      溶岩板
６０      加温施設
【図１】
0003197456.tif 000003
【図２】
0003197456.tif 000004
【図３】
0003197456.tif 000005
【図４】
0003197456.tif 000006
【図５】
0003197456.tif 000007
【図６】
0003197456.tif 000008
【図７】
0003197456.tif 000009
【図８】
0003197456.tif 000010
【手続補正書】
【提出日】平成27年3月10日(2015.3.10)
【手続補正１】
【補正対象書類名】実用新案登録請求の範囲
【補正対象項目名】請求項１
【補正方法】変更
【補正の内容】
【請求項１】
内部に粒子を敷き詰めて、その上部に多孔質の板を載せ床面を形成する筐体と、
前記筐体の内部下方に設ける加熱手段と、
前記加熱手段の上方に設ける水噴出手段とを備え、
前記水噴出手段により前記粒子からなる層に水分を供給し、前記加熱手段にて水蒸気を発生させ、前記加熱手段及び前記水蒸気により前記粒子からなる層を昇温させると共に前記床面から前記水蒸気を放出させる床暖房装置であって、
前記加熱手段は、前記筐体内部に連通させ、少なくとも一端を外部に開放させる開口部を有すると共に前記筐体との接続箇所を防水構造とする管体と、
前記管体内に電気絶縁状態で前記開口部から取り出し自在に収納される抵抗発熱体とを備えることを特徴とする床暖房装置